(57)【要約】【課題】画像の表示においてエッジ補正による消費電力の増大を抑制する。【解決手段】画像信号処理方法は、１つのフィールド期間(F(m))における複数の期間の中の第１の期間(SF1)に、複数の色成分(RGB)の中の第１の色成分(B)の第１の元の画像信号(Fb(m))を表示用出力端子(404)に供給し、第２の期間に、第１の元の画像信号をエッジ補正した補正画像信号(Fbe(m))を表示用出力端子に供給し、第１の期間に、第２の色成分(R)の第２の元の画像信号(Fr(m))と第３の色成分(G)の第３の元の画像信号(Fg(m))とを表示用出力端子に供給し、第２の期間において第２と第３の色成分の画像信号の供給を抑制する。【選択図】図１２
2012119902.tif 000002
【特許請求の範囲】
【請求項１】
制御部が、
連続的な複数の期間を含む１つのフィールド期間における前記複数の期間の中の第１の期間に、複数の色成分の中の第１の色成分の第１の元の画像信号を表示用の出力端子に供給し、
前記複数の期間における第２の期間に、前記第１の元の画像信号をエッジ補正した補正画像信号を前記表示用の出力端子に供給し、
前記第１の期間に、前記複数の色成分の中の第２の色成分の第２の元の画像信号と、前記複数の色成分の中の第３の色成分の第３の元の画像信号とを前記表示用の出力端子に供給し、
前記第２の期間において、前記複数の色成分の中の前記第２と第３の色成分の画像信号の供給を抑制すること
を特徴とする、画像信号処理装置における画像信号処理方法。
【請求項２】
前記制御部が、さらに、前記第２の期間において、前記表示用の出力端子に結合される表示装置における前記第２と第３の色成分の画像信号用の表示電極への信号路のインピーダンスを高くする制御信号を、前記表示装置を制御するための出力端子に供給することを特徴とする、請求項１に記載の画像処理装置。
【請求項３】
前記制御部が、さらに、
第１の画像処理部をイネーブルして前記第１の画像処理部から前記第１の元の画像信号と前記元の画像信号を受け取り、
第２の画像処理部をイネーブルして前記第２の画像処理部から前記第２の元の画像信号を受け取り、前記第２の画像処理部が前記第２の元の画像信号を生成しないとき前記第２の画像処理部をディセーブルし、
第３の画像処理部をイネーブルして前記第３の画像処理部から前記第３の元の画像信号を受け取り、前記第３の画像処理部が前記第３の元の画像信号を生成しないとき前記第３の画像処理部をディセーブルすること、
を特徴とする、請求項１または２に記載の画像信号処理方法。
【請求項４】
前記制御部が、さらに、前記複数の期間における第３の期間に、前記第１の元の画像信号をエッジ補正した別の補正画像信号を前記表示用の出力端子に供給し、前記複数の色成分の中の前記第２と第３の色成分の画像信号の供給を抑制することを特徴とする、請求項１乃至３のいずれかに記載の画像信号処理方法。
【請求項５】
画像処理部と、
表示用の出力端子と、
連続的な複数の期間を含む１つのフィールド期間における前記複数の期間の中の第１の期間に、複数の色成分の中の第１の色成分の第１の元の画像信号を前記画像処理部から受け取って前記表示用の出力端子に供給し、前記複数の期間における第２の期間に、前記第１の元の画像信号をエッジ補正した補正画像信号を前記画像処理部から受け取って前記表示用の出力端子に供給し、前記第１の期間に、前記複数の色成分の中の第２の色成分の第２の元の画像信号を前記画像処理部と、前記複数の色成分の中の第３の色成分の第３の元の画像信号とを前記画像処理部から受け取って前記表示用の出力端子に供給し、前記第２の期間において、前記複数の色成分の中の前記第２と第３の色成分の画像信号の供給を抑制する制御部と、
を含むことを特徴とする、情報処理装置。
【発明の詳細な説明】
【技術分野】
【０００１】
本発明は、画像処理に関し、特に、画像のエッジ補正のための画像処理に関する。
【背景技術】
【０００２】
例えば、パーソナル・コンピュータ（ＰＣ）、情報処理端末、携帯電話機、ディジタル・カメラ、等の画像を表示する装置では、画像の輪郭またはエッジ部分における輝度、明度または濃度勾配を急峻にして画像を先鋭化（シャープ）にする処理を施すことができる。そのために、元の画像データを２次微分フィルタで濾波して得られたエッジ・データを、元の画像データと合成（加算または減算）することができる。
【０００３】
既知の或る画像処理装置において、ラプラシアン・フィルタが、入力画像信号のエッジ信号を強調化して検出する。強調化されたエッジ信号のエッジ成分は、平滑化回路で平滑化される。平滑化回路の出力信号と入力画像信号とは、加算回路で加算され出力信号となる。平滑化されたエッジ信号が入力信号に加算されるので、入力画像信号の滑らかなエッジ強調化の処理が可能となる。
【０００４】
既知の或る画像処理装置において、端子に入力された静止画の画像データ（輝度データ）は、ラプラシアン・フィルタに供給され、ここで画像処理をする注目画素と、これを中心とする上下左右の画素にラプラシアン係数が乗じられる。このラプラシアン係数は、例えば注目画素の値が最大値であり、注目画素の上下左右の計４画素だけでなく、斜め左上、斜め左下、斜め右上及び斜め左上の計４画素の各値がそれぞれ“−１”であり、エッジを強調する。これにより、自然なエッジ強調が行え、また、階段状パターンで起こる交互の濃淡パターンの濃淡差を縮小できるので、ジャギの発生を抑えることができる。
【０００５】
既知の或るエッジ強調処理装置は、画像信号の供給端に結合され画像信号の画像エッジの存在を示す第１の信号を出力端に出力するエッジ検出部を含んでいる。そのエッジ強調処理装置は、さらに、供給端に結合され画像エッジに関するマッハ効果の程度を示す第２の信号を出力端に出力するマッハ判定部と、供給端と、エッジ検出部の出力端と、エッジ強調部と、を含んでいる。そのエッジ強調部は、マッハ判定部の出力端に結合され第１の信号と第２の信号に応じて画像信号の明度の変化量及び彩度の変化量を決定し、決定された明度の変化量及び彩度の変化量に応じて明度及び彩度の少なくとも一方を変化させることによりエッジ強調処理を施した画像信号を出力する。それによって、液晶ディスプレイの応答速度を改善することができる。
【０００６】
既知の或る陰極線管表示装置は、輪郭補正信号によって輪郭補正をすることができる輪郭補正回路と、色補正信号によって色信号の増幅度を変更することができる映像増幅回路とを具備する。その表示装置は、記憶回路に記憶された各パラメータに基づいて、輪郭補正信号および色補正信号を生成してその輪郭補正回路並びに映像増幅回路に供給する。その輪郭補正信号および色補正信号は制御回路においてレベル調整される。それによって、加齢に伴う視覚機能の低下が適正に補正され、高齢者にとって視認し易い映像を再生することができる。
【先行技術文献】
【特許文献】
【０００７】
【特許文献１】特開平０９−２００５３０号公報
【特許文献２】特開２００６−２７０４２１号公報
【特許文献３】特開２００１−３３３２７８号公報
【特許文献４】特開平１１−２８５０２２号公報
【非特許文献】
【０００８】
【非特許文献１】水野ほか、豊田中央研究所Ｒ＆Ｄレビュー、Ｖｏｌ．３３、Ｎｏ．３、１９９８．９
【発明の概要】
【発明が解決しようとする課題】
【０００９】
エッジ強調のために異なる２つのラプラシアン・フィルタの出力のうちの大きい出力を元の画像に重畳して合成画像を生成し、その合成画像を表示装置に表示することが知られている。
【００１０】
発明者は、エッジ補正のために、元の画像とそのエッジ補正された画像とを時分割的に表示して、観察者の脳内で視覚的に合成することができる、と認識した。一方、発明者は、エッジ補正のために、例えば３原色のような全ての色成分について、元の画像とそのエッジ補正された画像を時分割的に表示すると、画像が時間的に大きく変化し、例えば液晶表示装置のような表示装置において消費電力が大きくなる、と認識した。
【００１１】
発明者は、例えば青色のような特定の色成分についてだけエッジ補正された画像を時分割的に表示すると、例えば液晶表示装置のような表示装置において消費電力の増大が抑制され、それにもかかわらず或る観察者の視覚特性に対して充分なエッジ補正の効果が得られる、と認識した。
【００１２】
本発明の実施形態の目的は、画像の表示においてエッジ補正による消費電力の増大を抑制することである。
【課題を解決するための手段】
【００１３】
実施形態の一観点によれば、画像信号処理装置における画像信号処理方法において、制御部が、連続的な複数の期間を含む１つのフィールド期間におけるその複数の期間の中の第１の期間に、複数の色成分の中の第１の色成分の第１の元の画像信号を表示用の出力端子に供給し、その複数の期間における第２の期間に、その第１の元の画像信号をエッジ補正した補正画像信号をその表示用の出力端子に供給し、その第１の期間に、その複数の色成分の中の第２の色成分の第２の元の画像信号と、その複数の色成分の中の第３の色成分の第３の元の画像信号とをその表示用の出力端子に供給し、その第２の期間において、その複数の色成分の中のその第２と第３の色成分の画像信号の供給を抑制する、画像信号処理方法が提供される。
【発明の効果】
【００１４】
実施形態の一観点によれば、画像の表示においてエッジ補正による消費電力の増大を抑制することができる。
【図面の簡単な説明】
【００１５】
【図１】図１は、実施形態による、時分割的なエッジ補正を行う機能を有する情報処理装置の概略的構成の例を示している。
【図２】図２Ａは、元のフィールド画像の時間的順序の例を示している。図２Ｂ〜２Ｄは、図１の実施形態におけるエッジ補正回路によって供給される各色成分の画像信号の時分割フィールドの時間的順序の例を示している。
【図３】図３は、３×３画素のマスクのラプラシアン・フィルタを用いたエッジ補正された画像に対する観察者の視神経の刺激応答の例を示している。
【図４】図４は、異なるサイズのマスクの２つ以上のラプラシアン・フィルタによるそれぞれのエッジ補正された画像に対する観察者の視神経の刺激応答の例を示している。
【図５】図５は、図１または他の実施形態による、調整されたエッジ補正による画像の望ましい補正の例を示している。
【図６Ａ】図６Ａは、３×３画素のサイズのマスクを有するラプラシアン・フィルタの係数マトリックスの例を示している。
【図６Ｂ】図６Ｂは、５×５画素のサイズのマスクを有するラプラシアン・フィルタの係数マトリックスの例を示している。
【図６Ｃ】図６Ｃは、７×７画素のサイズのマスクを有するラプラシアン・フィルタの係数マトリックスの例を示している。
【図６Ｄ】図６Ｄは、９×９画素のサイズのマスクを有するラプラシアン・フィルタの係数マトリックスの例を示している。
【図７】図７は、実施形態による、複数の色成分用の時分割的なエッジ補正を行う機能を有する情報処理装置および表示装置または表示器の概略的構成の例を示している。
【図８】図８は、図７のソース電極ドライバの概略的構成の例を示している。
【図９】図９は、図７の液晶パネルの概略的構成の例を示している。
【図１０】図１０は、図９のｎ本のゲート電極とｍ本のソース電極の交差部に結合されたｎ×ｍ個のＦＥＴの一部の結合の例を示している。
【図１１】図１１Ａは、元のフィールド画像の時間的順序の例を示している。図１１Ｂ〜１１Ｄは、図１および７〜１０の実施形態におけるエッジ補正回路によって供給される高齢者用の各色成分の画像信号の時分割フィールドの時間的順序の例を示している。
【図１２】図１２Ａは、連続するサブフィールド期間においてゲート電極ドライバによってゲート電極に印加されるパルス電圧の例を示している。図１２Ｂ〜１２Ｄは、連続するサブフィールド期間においてソース電極ドライバによってソース電極に印加されるパルス電圧の例を示している。
【図１３】図１３は、別の実施形態による、時分割的なエッジ補正を行う機能を有する情報処理装置の概略的構成の例を示している。
【図１４】図１４Ａは、元のフィールド画像の時間的順序の例を示している。図１４Ｂ〜１４Ｄは、図１３および７〜１０の実施形態におけるエッジ補正回路によって供給される各色成分の画像信号の時分割フィールドの時間的順序の別の例を示している。
【図１５】図１５Ａは、連続するサブフィールド期間においてゲート電極ドライバによってゲート電極に印加されるパルス電圧の例を示している。図１５Ｂ〜１５Ｄは、連続するサブフィールド期間においてソース電極ドライバによってソース電極に印加されるパルス電圧の例を示している。
【発明を実施するための形態】
【００１６】
発明の目的および利点は、請求の範囲に具体的に記載された構成要素および組み合わせによって実現され達成される。
前述の一般的な説明および以下の詳細な説明は、典型例および説明のためのものであって、本発明を限定するためのものではない、と理解される。
【００１７】
本発明の非限定的な実施形態を、図面を参照して説明する。図面において、同様のコンポーネントおよび素子には同じ参照番号が付されている。
【００１８】
例えば液晶表示装置のような表示装置において、観察者の視野の中心（角度０度）において輝度が例えばレベル０から４０にステップ状に変化するエッジの画像を観察者が見た場合、その観察者のエッジ画像に対する視神経の刺激応答の大きさは年齢に応じて異なる。
【００１９】
例えば２０才の観察者は、そのような画像上の視野の角度−８度において負の応答値を示し、角度０度付近で正方向に応答が急激に変化し、角度２度付近で最大の正の応答値を示す。一方、例えば６０才の観察者では、それらの視野の角度において正と負の値ともに視神経の刺激応答が小さく、その応答の振幅は概して２０才の観察者の約３分の１である。これは、６０才の観察者は、２０才の観察者と比較すると、輝度が急激に変化するエッジがぼやけて見えることを意味する。従って、発明者は、高齢者が表示画像を観察する場合に、若年者との比較上の高齢者の視神経の刺激応答の低下を、広い視野角度について補償することが望ましい、と認識した。
【００２０】
例えば、パーソナル・コンピュータで作業するときの作業標準によれば、人間の目から表示装置までの距離を４０ｃｍとすることが推奨されている。また、パーソナル・コンピュータに用いられている表示装置の画素のピッチは、一般的に約０．２６ｍｍである。この１画素分の視野は、人間の視野角度に換算すると角度４．４分に対応する。
【００２１】
例えば３×３画素のマスク・サイズの１つのラプラシアン・フィルタを用いて画像を補正すると、その補正画像は、エッジの両側各１画素（合計２画素）にわたってエッジの度合いが強調される。それによって、人間の視覚的なマッハ効果を増強するようにそのエッジ付近の画像の輝度が補正される。しかし、高齢者と若年者の視神経刺激に対する反応の差は、実際には視野の中心１画素のみで生じるのでなく、３画素以上にわたって生じる。それにもかかわらず、エッジを中心としてエッジから１画素分に対応する±０．５度より広い角度範囲では、エッジの度合いが強調されない。従って、高齢者に対しては、画像の充分なエッジ補正の効果を提供することができない。
【００２２】
一方、単純にエッジ強調の度合いを大きくすると、エッジをより明瞭にする効果はあるが、同時に人間の視覚ではそれがノイズとしても認識されるので、画質劣化が生じることがある。例えば、エッジ強調の度合いが大き過ぎると、エッジの両側に本来存在しない明るい直線と暗い直線が、視覚的に偽画像、アーティファクト（不自然さ）またはノイズとして出現することがある。
【００２３】
さらに、例えば７×７画素のようなより大きいマスク・サイズの１つのラプラシアン・フィルタを用いて画像を補正すると、その補正画像は、エッジ付近では振幅が小さく、エッジから両側にそれぞれ２〜３画素分離れた位置付近において補正量のピークが生じる。従って、先鋭なエッジ補正が得られない。
【００２４】
このように、若年者と高齢者におけるエッジ画像に対する視神経の刺激応答の特性は異なり、単一のラプラシアン・フィルタを用いても、高齢者にとってエッジ部分における充分なエッジ補正は得られない。発明者は、異なる複数のラプラシアン・フィルタを用いれば、高齢な観察者にとってエッジ部分における充分なエッジ補正が得られる、と認識した。
【００２５】
また、高齢者の色覚特性について、特に青色に対する識別力が低下することが知られている。発明者は、特に青色に対して異なる複数のラプラシアン・フィルタを用いれば、高齢な観察者にとってエッジ部分における充分なエッジ補正が得られる、と認識した。
【００２６】
図１は、実施形態による、時分割的なエッジ補正を行う機能を有する情報処理装置１４の概略的構成の例を示している。
【００２７】
情報処理装置１４は、画像信号処理装置であってもよく、表示装置または表示器３００に結合される。情報処理装置１４は、表示装置３００を含む表示装置であってもよい。情報処理装置１４は、ＣＰＵ（Central Processing Unit）、主記憶装置、ハードディスクドライブ、半導体メモリ、バス、入力装置、出力装置、通信インタフェース、記録媒体読み取り用のドライブ、等を含むコンピュータまたは装置であってもよい。情報処理装置１４は、例えばパーソナル・コンピュータ（ＰＣ）、情報処理端末、携帯電話機、ディジタル・カメラのような、画像を処理し表示する装置であってもよい。表示装置３００は、例えば、液晶表示装置および有機ＥＬ表示装置のようなホールド型表示装置を用いることが好ましい。情報処理装置１４は、上位の第１の制御部１００、メモリ１０１、エッジ補正用の第２の制御部１０２、メモリ１０４、入力装置１０８、画像処理部の一部としてのエッジ補正回路又はエッジ強調回路２０３、および表示用のフィールド・メモリ３１２を含んでいる。入力装置１０８は、例えば、キーボードおよびポインティング・デバイスであってもよい。
【００２８】
制御部１００は、例えば集積回路として実装された専用のプロセッサであっても、またはメモリ１０１に格納されたプログラムに従って動作するものであってもよい。制御部１０２およびエッジ補正回路２０３は、例えば集積回路として実装された専用のプロセッサであっても、またはメモリ１０４に格納されたプログラムに従って動作するものであってもよい。それらのプログラムは、例えば、ＣＤ−ＲＯＭまたはＤＶＤディスク、ＵＳＢメモリ等の可搬型記録媒体、フラッシュメモリ等の半導体メモリ、ハードディスクドライブのようなコンピュータ読み取り可能な記録媒体に格納されてもよい。
【００２９】
１つの画像（ピクチャ）は、１フレーム期間で構成されており、プログレッシブ型走査では１フレームが１つのフィールドを含み、インターレース型走査では１フレームが例えば２つのフィールドを含んでいる。この明細書において、フィールド画像について説明するが、フレーム画像についても同様に説明できる。また、フィールド・メモリの代わりにフレーム・メモリを用いてもよい。
【００３０】
エッジ補正回路２０３は、３つの色成分または各色成分について、フィールド・メモリ２１２、２つの２次元のラプラシアン（∇２）フィルタ２２２および２２４、それぞれのフィールド・メモリまたは複数ライン・メモリ２４２および２４４、それぞれの乗算器２６２および２６４を含んでいる。エッジ補正回路２０３は、さらに、マルチプレクサまたはセレクタ２７８、および加算器または総和器（Σ）２８０、およびマルチプレクサまたはセレクタ２８２を含んでいる。
【００３１】
ラプラシアン・フィルタ２２２は、例えば３×３画素（ピクセル）または５×５画素のような小さいサイズのマスクを有していてもよい。ラプラシアン・フィルタ２２４は、ラプラシアン・フィルタ２２２のものより大きいサイズ、例えば５×５画素、７×７画素または９×９画素のサイズのマスクを有していてもよい。制御部１０２の少なくとも一部の機能は、エッジ補正回路２０３に含まれるように変形してもよい。乗算器２６２および２６４は、入力値に係数αおよびβを乗算する。
【００３２】
制御部１０２は、ユーザによる入力装置１０８の操作に従って、各色成分について、１フィールド以上の元の画像信号Ｆ（ｍ）、Ｆ（ｍ＋１）、Ｆ（ｍ＋２）、．．．をフィールド・メモリ２１２に順次供給する。入力された元の画像信号は、動画像であっても、または静止画像であってもよい。入力された元の画像信号は、情報処理装置１４内で生成されたものであっても、またはリムーバブル記憶装置または外部装置から、またはネットワーク（図示せず）を介して情報処理装置１４の例えばメモリ１０１に読み込まれたものであってもよい。
【００３３】
フィールド・メモリ２１２はラプラシアン・フィルタ２２２および２２４の入力に結合されている。ラプラシアン・フィルタ２２２の出力はフィールド・メモリまたは複数ライン・メモリ２４２に結合されている。ラプラシアン・フィルタ２２４の出力はフィールド・メモリまたは複数ライン・メモリ２４４に結合されている。フィールド・メモリ２４２は乗算器２６２の入力に結合されている。フィールド・メモリ２４４は乗算器２６４の入力に結合されている。
【００３４】
乗算器２６２および２６４の出力はマルチプレクサ２７８のそれぞれの入力に結合されている。マルチプレクサ２７８の出力は加算器２８０の１つの入力に結合されている。フィールド・メモリ２１２は、加算器２８０の別の入力に結合されている。
【００３５】
加算器２８０の出力はマルチプレクサ２８２の１つの入力に結合されている。フィールド・メモリ２１２はマルチプレクサ２８２の別の入力にも結合されている。マルチプレクサ２８２の出力はフィールド・メモリ３１２に結合されている。
【００３６】
制御部１００は、メモリ１０１、制御部１０２、入力装置１０８、フィールド・メモリ３１２および表示装置３００に、バスまたは制御線１０５を介して制御信号を供給する。制御部１０２は、メモリ１０４、およびエッジ補正回路２０３（要素２１２、２２２〜２６４、２７８、２８０および２８２）に、バスまたは制御線１０３を介して制御信号を供給する。
【００３７】
制御部１０２は、制御部１００を介したユーザによる入力装置１０８の操作に従って、ラプラシアン・フィルタ２２２および係数マトリックス、および乗算係数αおよびβを決定しまたは選択することができる。ユーザによって入力された年齢を表す値に応じて、制御部１００は、制御部１０２にその年齢に適した乗算係数αおよびβが決定または選択させてもよい。
【００３８】
エッジ補正回路２０３において、ラプラシアン・フィルタ２２２は、各色成分について、フィールド・メモリ２１２から各１フィールドの画像データＦ（ｍ）、Ｆ（ｍ＋１）、Ｆ（ｍ＋２）、．．．を順次読み込む。ラプラシアン・フィルタ２２２は、例えば３×３画素のようなマトリックスの画素データに、対応するサイズのマスクの係数マトリックスを乗算することによって、そのマトリックスの画素データを空間的２次元濾波またはフィルタ処理する。その係数マトリックスは、設計者またはユーザによって決定または選択されてもよい。
【００３９】
ラプラシアン・フィルタ２２２は、各フィールド期間Ｆ（ｍ）に、各色成分について、その濾波済みのエッジ強調画素データをフィールド・メモリ２４２に格納する。乗算器２６２は、各色成分について、フィールド・メモリ２４２からライン順次でその画素データを読み出して、そのデータの値に係数αを乗算し、その乗算値（積）をエッジ強調データとしてマルチプレクサ２７８の１つの入力に供給する。その係数αは、設計者またはユーザによって決定または選択されてもよい。
【００４０】
同様に、ラプラシアン・フィルタ２２４は、各色成分について、フィールド・メモリ２１２から各フィールドの画像データＦ（ｍ）、Ｆ（ｍ＋１）、Ｆ（ｍ＋２）、．．．を順次読み込む。ラプラシアン・フィルタ２２４は、例えば５×５画素、７×７画素または９×９画素単位のような相対的に大きいマトリックスの画素データに、対応するサイズのマスクの係数マトリックスを乗算することによって、そのマトリックスの画素データを空間的２次元濾波またはフィルタ処理する。その係数マトリックスは、設計者またはユーザによって決定または選択されてもよい。
【００４１】
ラプラシアン・フィルタ２２４は、各フィールド期間Ｆ（ｍ）に、各色成分について、その濾波済みのエッジ強調画素データをフィールド・メモリ２４４に格納する。乗算器２６４は、各色成分について、フィールド・メモリ２４４からライン順次でその画素データを読み出して、そのデータの値に係数βを乗算し、その乗算値（積）をエッジ強調データとしてマルチプレクサ２７８の別の入力に供給する。その係数βは、設計者またはユーザによって決定または選択されてもよい。
【００４２】
例えば１フィールドの画像データ中の青色（Ｂ）のような１つの色成分についてだけ、ラプラシアン・フィルタ２２２および２２４が、エッジ強調のための濾波を行ってもよい。代替形態として、他の色成分と比較して例えば青色（Ｂ）のような１つの色成分に対して、ラプラシアン・フィルタ２２２および２２４は、より大きい乗算係数（α、β）を乗算することによって、エッジ強調のための濾波を行ってもよい。それによって、例えば高齢者の観察者にとってより適したエッジ補正された画像表示が得られる。若年者の観察者に対しては、エッジ補正しなくてもよい。
【００４３】
マルチプレクサ２７８は、フィールド期間Ｆ（ｍ）に、各色成分について、乗算器２６２および２６４の出力から対応する入力に供給された異なる形態でエッジ強調された画像信号のフィールドを交互にまたは循環的に選択して、加算器２８の１つの入力に供給する。
【００４４】
一方、制御部１０２は、フィールド期間Ｆ（ｍ）に、各同じ色成分について、フィールド・メモリ２１２から元の画像データＦ（ｍ）の画素データを加算器２８０の別の入力に供給する。
【００４５】
加算器２８０は、マルチプレクサ２７８（即ち乗算器２６２と２６４の一方）の出力およびフィールド・メモリ２１２から、各同じ色成分について、同じフィールドＦ（ｍ）における互いに対応する画素位置の２つの画素データを加算して、異なる形態でエッジ強調された画素データを時分割的に生成する。加算器２８０は、そのエッジ強調された画素データを時分割的に順にマルチプレクサ２８２の１つの入力に供給する。
【００４６】
一方、制御部１０２は、各同じ色成分について、フィールド・メモリ２１２からの元の画像信号のフィールドをマルチプレクサ２８２の別の入力に供給する。マルチプレクサ２８２は、加算器２８０の出力から供給された異なる形態でエッジ強調された画像信号の交互のまたは循環的なフィールドと、フィールド・メモリ２１２からの元の画像信号のフィールドとを交互にまたは循環的に選択して、フィールド・メモリ３１２に供給する。
【００４７】
そのエッジ強調された画素データは、係数β＝０の場合、若年者に適した形態のものである。そのエッジ強調された画素データは、係数β＞０の場合、高齢者により適した形態のものである。
【００４８】
フィールド・メモリ３１２は、制御部１０２の制御の下で、マルチプレクサ２８２から受け取った各フィールド・データをデータ線２９２を介して表示装置３００に順次供給する。
【００４９】
要素２２４〜２６４の直列接続回路に加えて、ラプラシアン・フィルタ２２４に対応する異なるサイズのマスクを有するラプラシアン・フィルタ、別のフィールド・メモリおよび別の乗算器の複数組の直列接続回路を、要素２２２〜２６２の直列接続回路と並列に接続してもよい。即ち、互いに異なるサイズのマスクを有するラプラシアン・フィルタを含む複数（例えば、３または４個）の直列接続回路を、マルチプレクサ２７８の対応する入力に接続してもよい。
【００５０】
表示装置３００は、フィールド・メモリ３１２からの画像信号の交互のまたは循環的なフィールドに従って、高齢者により適した形態でエッジ強調されたそのフィールド画像を表示する。その結果、元のフィールド画像と、ラプラシアン・フィルタ２２２によってエッジ強調されたフィールド画像と、ラプラシアン・フィルタ２２４によってエッジ強調されたフィールド画像とが時分割的に循環的に表示される。それによって、人の脳で視覚的に合成された時分割の画像は、高齢者により適した形態のものとなる。時分割的なエッジ補正を行うことによって、画像処理において画像の或る色成分に対してだけ追加的なエッジ補正を施すことができ、追加的な処理負荷を小さくすることができる。
【００５１】
図２Ａは、元のフィールド画像Ｆ（ｍ）、Ｆ（ｍ＋１）、Ｆ（ｍ＋２）、．．．の時間的順序の例を示している。図２Ｂ〜２Ｄは、図１の実施形態におけるエッジ補正回路２０３によって供給される各色成分の画像信号の時分割サブフィールドの時間的順序の例を示している。
【００５２】
図２Ｂを参照すると、表示装置３００によって、赤色について、元のフィールド画像Ｆ（ｍ）に対して、サブフィールド期間ＳＦ１において元のフィールド画像Ｆｒ（ｍ）、サブフィールド期間ＳＦ２においてエッジ強調されたフィールド画像Ｆｒｅ（ｍ）、サブフィールド期間ＳＦ３において別のエッジ強調されたフィールド画像Ｆｒｅ（ｍ）’が表示される。それと並行して、図２Ｃを参照すると、表示装置３００によって、緑色について、サブフィールド期間ＳＦ１、ＳＦ２、ＳＦ３において、それぞれ、元のフィールド画像Ｆｇ（ｍ）、エッジ強調されたフィールド画像Ｆｇｅ（ｍ）、別のエッジ強調されたフィールド画像Ｆｇｅ（ｍ）’が表示される。それと並行して、図２Ｄを参照すると、表示装置３００によって、青色について、サブフィールド期間ＳＦ１、ＳＦ２、ＳＦ３において、それぞれ、元のフィールド画像Ｆｂ（ｍ）、エッジ強調されたフィールド画像Ｆｂｅ（ｍ）、別のエッジ強調されたフィールド画像Ｆｂｅ（ｍ）’が表示される。
【００５３】
同様に、図２Ｂを参照すると、表示装置３００によって、赤色について、次の元のフィールド画像Ｆ（ｍ＋１）に対して、サブフィールド期間ＳＦ１、ＳＦ２、ＳＦ３において、それぞれ、元のフィールド画像Ｆｒ（ｍ＋１）、エッジ強調されたフィールド画像Ｆｒｅ（ｍ＋１）、別のエッジ強調されたフィールド画像Ｆｒｅ（ｍ＋１）’が表示される。それと並行して、図２Ｃを参照すると、表示装置３００によって、緑色について、サブフィールド期間ＳＦ１、ＳＦ２、ＳＦ３において、それぞれ、元のフィールド画像Ｆｇ（ｍ＋１）、エッジ強調されたフィールド画像Ｆｇｅ（ｍ＋１）、別のエッジ強調されたフィールド画像Ｆｇｅ（ｍ＋１）’が表示される。それと並行して、図２Ｄを参照すると、表示装置３００によって、青色について、次の元のフィールド画像Ｆ（ｍ＋１）に対して、サブフィールド期間ＳＦ１、ＳＦ２、ＳＦ３において、それぞれ、元のフィールド画像Ｆｂ（ｍ＋１）、エッジ強調されたフィールド画像Ｆｂｅ（ｍ＋１）、別のエッジ強調されたフィールド画像Ｆｂｅ（ｍ＋１）’が表示される。
【００５４】
さらに次の元のフィールド期間Ｆ（ｍ＋２）についても、同様である。
【００５５】
図２Ｂ〜２Ｄのように１フィールド期間Ｆ（ｍ）に元の画像のサブフィールド期間ＳＦ１および２つの補正サブフィールド期間ＳＦ２、ＳＦ３を含む場合、例えば３×３画素および７×７画素のサイズのマスクに対して係数αおよびβの値は、例えばα＝１．２およびβ＝０．３であってもよい。この場合、３つのサブフィールド期間ＳＦ１〜ＳＦ３において視覚的に平均されて、１サブフィールド期間当たり視覚的にα＝０．４およびβ＝０．１と同様の補正効果が得られる。また、１フィールド期間Ｆ（ｍ）に元の画像のサブフィールド期間ＳＦ１および１つの補正サブフィールド期間ＳＦ２を含む場合には、例えば３×３画素および７×７画素のサイズのマスクに対して係数αおよびβの値は、例えばα＝０．８およびβ＝０．２であってもよい。この場合、２つのサブフィールド期間ＳＦ１、ＳＦ２において視覚的に平均されて、１サブフィールド期間当たり視覚的にα＝０．４およびβ＝０．１と同様の補正効果が得られる。
【００５６】
また、例えば、視覚的に平均化された乗算係数αは、４０才のユーザに対して０．４と決定され、５０才のユーザに対して０．３５と決定され、６０才のユーザに対して０．３と決定されてもよい。例えば、視覚的に平均化された乗算係数βは、４０才のユーザに対して０と決定され、５０才のユーザに対して０．０５と決定され、６０才のユーザに対して０．１と決定されてもよい。
【００５７】
３以上の異なるサイズのマスクを有するラプラシアン・フィルタが用いられる場合には、各色成分について、元のフィールド画像およびラプラシアン・フィルタによってエッジ強調された３以上のフィールド画像が４以上のサブフィールド期間に表示装置３００に循環的に順次表示される。
【００５８】
図３は、３×３画素のマスクのラプラシアン・フィルタ２２２を用いたエッジ強調された画像に対する観察者の視神経の刺激応答（強度）の例を示している。図３において、実線で示された線ＰＯは、視野角度０度において左から右の正方向に強度０から４０にステップ状に変化する明るさのエッジを表す元の画像の例を示している。
【００５９】
大きい振幅の実線で示された曲線Ｒ２０は、エッジ強調されていないエッジ画像に対する２０才の観察者の視神経の刺激応答（強度）の例を示している。小さい振幅の実線で示された曲線Ｒ６０は、エッジ強調されていないエッジ画像に対する６０才の観察者の視神経の刺激応答（強度）の例を示している。図３において、視神経の刺激応答は、相対的な強度の変化を表すものであって、画像ＰＯの強度と同じ尺度で示されているものではない。
【００６０】
破線で示された第１のエッジ強調の線ＥＥ１は、元の画像ＰＯの強度に重畳された、３×３画素のマスクのラプラシアン・フィルタ２２２および乗算器２６２によって生成されるエッジ強調の強度の例を示している。大きい振幅の実線で示された曲線Ｒｅ２０は、３×３画素のマスクのラプラシアン・フィルタ２２２によってエッジ強調された画像に対する２０才の観察者の視神経の刺激応答（強度）を、理想的な応答の例として示している。小さい振幅の実線で示された曲線Ｒｅ６０は、３×３画素のマスクのラプラシアン・フィルタ２２２によってエッジ強調された画像に対する６０才の観察者の視神経の刺激応答（強度）を、補償される応答の例として示している。
【００６１】
エッジ強調ＥＥ１によって補正されたエッジ画像に対する６０才の観察者の視神経の刺激応答Ｒｅ６０は、２０才の観察者のまたは理想的な応答Ｒｅ２０より小さく、エッジ強調の度合いが不充分である。
【００６２】
図４は、異なるサイズのマスクの２つ以上のラプラシアン・フィルタ２２２、２２４、．．．によるそれぞれのエッジ補正された画像に対する観察者の視神経の刺激応答（強度）の例を示している。
【００６３】
図４において、二点鎖線および一点鎖線で示された第２のエッジ強調の線ＥＥ２およびＥＥ２’は、元の画像ＰＯの強度に重畳された、７×７画素のマスクのラプラシアン・フィルタ２２４におよび乗算器２６４よって生成されるエッジ強調の異なる強度の例を示している。
【００６４】
３×３画素のマスクのラプラシアン・フィルタ２２２を用いると、エッジの両側の合計２画素（ＰＩＸ）分しかエッジ強調が得られない。一方、例えば７×７画素のマスクのラプラシアン・フィルタ２２４ではエッジの両側の合計２画素分のエッジ強調の度合いは小さいが、エッジの両側の合計６画素分のエッジ強調が得られる。従って、異なるマスク・サイズの２種類のラプラシアン・フィルタ２２２および２２４の出力データに適切な重み係数（α、β）を乗じて、それらの乗算値（積）を元の画像データに加算することによって、高齢者にとって適したエッジ強調が得られる。
【００６５】
図５は、図１または他の実施形態（図１３）による、調整されたエッジ強調による画像の望ましい補正の例を示している。
【００６６】
図５において、一点鎖線で示された第２のエッジ強調ＥＥ３は、元の画像ＰＯの強度に重畳された、７×７画素のマスクのラプラシアン・フィルタ２２４によって生成され乗算器２６４によって乗算係数βが乗算されたエッジ強調の別の強度の例を示している。この場合、第２のエッジ強調ＥＥ３は、乗算器２６４の乗算係数βによって適切に調整されている。点線で示された線ＥＥＣは、元の画像ＰＯの強度に重畳された、第１のエッジ強調ＥＥ１と第２のエッジ強調ＥＥ３の合成されたエッジ強調の強度を示している。
【００６７】
合成されたエッジ強調ＥＥＣによって、補正されたエッジ画像に対する６０才の観察者の視神経の刺激応答は、２０才の観察者のまたは理想的な応答Ｒｅ２０に近似したものに補償される（図示せず）。また、それによって、高齢者の視覚特性に応じて、単一のエッジ強調によって発生し得る偽画像、アーティファクトまたはノイズを抑制することができる。
【００６８】
図６Ａ〜６Ｄは、それぞれ３×３画素、５×５画素、７×７画素および９×９画素のサイズのマスクを有するラプラシアン・フィルタの係数マトリックスの例を示している。
図６Ａは、３×３画素のサイズのマスクを有するラプラシアン・フィルタ２２２の係数マトリックスの例を示している。図６Ｂは、５×５画素のサイズのマスクを有するラプラシアン・フィルタ２２２または２２４の係数マトリックスの例を示している。図６Ｃは、７×７画素のサイズのマスクを有するラプラシアン・フィルタ２２２または２２４の係数マトリックスの例を示している。図６Ｄは、９×９画素のサイズのマスクを有するラプラシアン・フィルタ２２４の係数マトリックスの例を示している。その係数マトリックスは、例示された値に限定されることなく、設計者またはユーザによって決定または選択することができる。
【００６９】
図４および５において、視野角度０度から２画素分以上離れた領域において２０才の視神経の刺激応答の強度の振幅は、６０才の観察者の刺激応答の強度の振幅の約１．６倍である。また、２０才の観察者の視神経の刺激応答の強度のピーク−ピーク値は、６０才の観察者の刺激応答の強度のピーク−ピーク値の約１．５倍である。従って、６０才の観察者のエッジ強調の強度は、２０才の観察者のエッジ強度の約１．６倍以下であればよいと考えられる。６０才の観察者のためのエッジ強調の振幅または大きさは、元の画層信号の振幅の約０．６倍以下であることが望ましい。
【００７０】
異なるサイズのマスクを有する複数のラプラシアン・フィルタ（２２２、２２４、等）に対する視覚的に平均化された乗算係数αおよびβの中の最大の乗算係数の値は、エッジ強調の強度または振幅が元の画像信号の強度または振幅の約０．６倍以下であるような値であることが望ましい。マスクのサイズは、例えば、３×３画素、５×５画素、７×７画素、９×９画素であってもよい。乗算係数βの数は、５×５画素以上のサイズのマスクを有するラプラシアン・フィルタの数に等しい（β１、β２、．．．、βｎ）。視覚的に平均化された乗算係数αおよびβ（β１、β２、．．．、βｎ）のいずれの値も、約０．６以下であることが望ましい。エッジ強調に使用される異なるサイズのマスクを有する複数のラプラシアン・フィルタ（２２２、２２４、等）の視覚的に平均化された乗算係数αおよびβの総和（α＋β、またはα＋β１＋β２＋．．．＋βｎ）は、約０．６以下であることが好ましい。ラプラシアン・フィルタ（α、β、β１、β２、．．．、βｎ）の数は、２乃至４個であることが好ましい。
【００７１】
３×３画素のマスクのラプラシアン・フィルタ２２４について、視覚的に平均化された乗算係数αは、例えば、約０．６乃至約０．２７、好ましくは約０．３３乃至約０．２７であってもよい。
【００７２】
７×７画素のマスクのラプラシアン・フィルタ２２４について、視覚的に平均化された乗算係数βは、例えば、約０．１乃至約０．０７、好ましくは約０．０９乃至約０．０７であってもよい。この値（０．０９）は、７×７画素のマスクのラプラシアン・フィルタのエッジ強調のピーク値は中心から約２画素離れた位置においてエッジを表す原画像信号の振幅の約７倍の振幅を有するので、エッジ強調の上限約０．６を約７で除算して（０．６／７）求めた近似的な値である。
【００７３】
５×５画素のマスクのラプラシアン・フィルタ２２４について、視覚的に平均化された乗算係数βは、例えば、約０．２乃至約０．１であってもよい。９×９画素のマスクのラプラシアン・フィルタ２２４について、視覚的に平均化された乗算係数βは、例えば、約０．０６乃至約０．０３であってもよい。
【００７４】
図７は、実施形態による、複数の色成分用の時分割的なエッジ補正を行う機能を有する情報処理装置１４および表示装置または表示器３００の概略的構成の例を示している。表示装置３００は、例えば液晶表示装置であってもよい。
【００７５】
図７の情報処理装置１４において、図１の制御部１００、制御部１０２、エッジ補正回路２０３、およびフィールド・メモリ３１２だけが示されている。エッジ補正回路２０３は、赤色成分用のエッジ補正回路２０３Ｒ、緑色成分用のエッジ補正回路２０３Ｇ、および青色成分用のエッジ補正回路２０３Ｂを含んでいてもよい。エッジ補正回路２０３Ｒ、２０３Ｇおよび２０３Ｂの各々は、対応する色成分について図１のエッジ補正回路２０３と同様の構成を有していてもよい。代替形態として、エッジ補正回路２０３は、時分割的に、エッジ補正回路２０３Ｒ、エッジ補正回路２０３Ｇおよびエッジ補正回路２０３Ｂとして機能してもよい。
【００７６】
フィールド・メモリ３１２は、赤色成分用のフィールド・メモリ３１２Ｒ、緑色成分用のフィールド・メモリ３１２Ｇ、および青色成分用のフィールド・メモリ３１２Ｂを含んでいる。エッジ補正回路２０３Ｒの出力はフィールド・メモリ３１２Ｒに結合されている。エッジ補正回路２０３Ｇの出力はフィールド・メモリ３１２Ｇに結合されている。エッジ補正回路２０３Ｂの出力はフィールド・メモリ３１２Ｂに結合されている。フィールド・メモリ３１２は、データ線２９２および表示用の出力端子４０４を介して、表示装置３００の表示用の入力端子４１４に結合されている。
【００７７】
表示装置３００は、ドライバ制御部３２０、例えば垂直走査用のゲート電極ドライバ３３０、例えば水平走査用のソース電極ドライバ３４０、および液晶パネル３６０を含んでいる。代替形態として、ゲート電極ドライバ３３０は水平走査用のドライバであってもよく、ソース電極ドライバ３４０は水平走査用のドライバであってもよい。情報処理装置１４の制御部１００は、その表示制御用の出力端子４０２を介して、表示装置３００のドライバ制御部３２０に結合され、ドライバ制御部３２０に制御信号を供給する。ドライバ制御部３２０は、ゲート電極ドライバ３３０およびソース電極ドライバ３４０に制御線３２２および３２４を介して結合されている。ドライバ制御部３２０は、その表示制御用の入力端子４１２を介して受け取った制御部１００からの制御信号に従って、ゲート電極ドライバ３３０およびソース電極ドライバ３４０に制御信号を供給する。
【００７８】
エッジ補正回路２０３Ｒは、赤色成分について、元のフィールド画像Ｆｒ（ｍ）から、エッジ強調されたフィールド画像Ｆｒｅ（ｍ）、および異なるエッジ強調されたフィールド画像Ｆｒｅ（ｍ）’を順次生成する。エッジ補正回路２０３Ｇは、緑色成分について、元のフィールド画像Ｆｇ（ｍ）から、エッジ強調されたフィールド画像Ｆｇｅ（ｍ）、および異なるエッジ強調されたフィールド画像Ｆｇｅ（ｍ）’を順次生成する。エッジ補正回路２０３Ｂは、青色成分について、元のフィールド画像Ｆｂ（ｍ）から、エッジ強調されたフィールド画像Ｆｂｅ（ｍ）、および異なるエッジ強調されたフィールド画像Ｆｂｅ（ｍ）’を順次生成する。
【００７９】
ソース電極ドライバ３４０は、最初のサブフィールド期間ＳＦ１について、フィールド・メモリ３１２Ｒ、３１２Ｇおよび３１２Ｂから表示制御用の入力端子４１４を介して、３色成分の元のフィールド画像データＦｒ（ｍ）、Ｆｇ（ｍ）、Ｆｂ（ｍ）を受け取る。次いで、ソース電極ドライバ３４０は、次のサブフィールド期間ＳＦ２について、フィールド・メモリ３１２Ｒ、３１２Ｇおよび３１２Ｂから入力端子４１４を介して、３色成分のエッジ強調されたフィールド画像データＦｒｅ（ｍ）、Ｆｇｅ（ｍ）、Ｆｂｅ（ｍ）を受け取る。次いで、ソース電極ドライバ３４０は、次のサブフィールド期間ＳＦ３について、フィールド・メモリ３１２Ｒ、３１２Ｇおよび３１２Ｂから入力端子４１４を介して、３色成分の異なるエッジ強調されたフィールド画像データＦｒｅ（ｍ）’、Ｆｇｅ（ｍ）’、Ｆｂｅ（ｍ）’を受け取る。
【００８０】
一方、ゲート電極ドライバ３３０は、各サブフィールド期間ＳＦ１、ＳＦ２またはＳＦ３について、走査パルスを垂直方向に配置された各表示用のゲート電極または表示電極３５２に順次印加する。ソース電極ドライバ３４０は、各サブフィールド期間ＳＦ１、ＳＦ２またはＳＦ３における各垂直走査パルスに対して、対応する水平１ライン分の３色成分の画素（ピクセル）データを同時に表示用の１つのライン分のソース電極または表示電極３６２に印加する。
【００８１】
図８は、図７のソース電極ドライバ３４０の概略的構成の例を示している。ソース電極ドライバ３４０は、レシーバ３４２、ラッチ３４４、ディジタル−アナログ変換器（ＤＡＣ）３４６、バッファ・メモリ３４８、およびスイッチング用のＦＥＴ群３５０を含んでいる。ＦＥＴ群３５０は、赤色成分用の複数のＦＥＴ３５０Ｒ、緑色成分用の複数のＦＥＴ３５０Ｇ、および緑色成分用の複数のＦＥＴ３５０Ｂを含んでいる。ＦＥＴ群３５０の各色成分毎に対応するＦＥＴ３５０Ｒ、３５０Ｇ、３５０Ｂが、制御線３２４を介したドライバ制御部３２０からの制御信号によって、それぞれオン・オフ制御される。
【００８２】
図９は、図７の液晶パネル３６０の概略的構成の例を示している。液晶パネル３６０は、縦横ｎ×ｍ個の液晶素子３７０に対して、行方向のｎ本のゲート電極３５２および列方向のｍ本のソース電極３６２を含んでいる。
【００８３】
ソース電極ドライバ３４０において、レシーバ３４２は、フィールド・メモリ３１２に結合されていて、水平１ライン分の３色成分のディジタルのｍ個のピクセル・データを受け取る。この場合、各ピクセルは、３色成分のサブピクセルを含んでいる。ラッチ３４４は、レシーバ３４２から水平１ライン分の各色成分のディジタルの例えば６、７または８ビットの３×ｍ個のサブピクセル・データをラッチする。ディジタル−アナログ変換器３４６は、ラッチ３４４から３色成分のディジタルの３×ｍ個のサブピクセル・データを同時に受け取って、それをアナログのサブピクセル電圧（値）に変換する。バッファ・メモリ３４８は、３色成分のアナログのサブピクセル電圧を一時的に保持する。スイッチング用のＦＥＴ群３５０は、ドライバ制御部３２０からの制御信号に従って、バッファ・メモリ３４８からの３色成分のアナログのサブピクセル電圧の３×ｍ本の表示用のソース電極３６２（３６２Ｒ、３６２Ｇ、３６２Ｂ）への供給をイネーブルしまたはディセーブルする。
【００８４】
図１０は、図９のｎ本のゲート電極３５２とｍ本のソース電極３５２の交差部に結合されたｎ×ｍ個のＦＥＴ３５４の一部の結合の例を示している。
各ＦＥＴ３５４のゲートが結合されたゲート電極ＧＴｊ（ｊ＝１〜ｎ）は、ゲート電極ドライバ３３０の出力に結合されている。各ＦＥＴ３５４のソースが結合されたソース電極Ｒｉ、Ｇｉ、Ｂｉ（ｉ＝１〜ｍ）は、ソース電極ドライバ３４０の出力に結合されている。各ＦＥＴ３５４のドレインは、等価的な液晶素子容量Ｃ１の一端と等価的な液晶表示パネル寄生容量Ｃ２の一端とに並列に結合されている、と仮定することができる。この場合、液晶素子容量Ｃ１の他端と液晶表示パネル寄生容量Ｃ２の他端は接地点ＧＮＤに結合されている。
【００８５】
図２Ｂ〜２Ｄに示されているように、制御部１０２は、通常、元の３色成分のフィールド画像Ｆｒ（ｍ）、Ｆｂ（ｍ）、Ｆｇ（ｍ）をエッジ補正回路２０３に供給して、エッジ補正処理を行わせる。エッジ補正回路２０３は、３色成分について、元のフィールド画像データＦｒ（ｍ）、Ｆｂ（ｍ）、Ｆｇ（ｍ）を供給し、次いでエッジ強調済みフィールド画像データＦｂｅ（ｍ）、Ｆｂｅ（ｍ）、Ｆｇｅ（ｍ）、次いで異なるエッジ強調済みフィールド画像データＦｂｅ（ｍ）’、Ｆｂｅ（ｍ）’、Ｆｇｅ（ｍ）’を生成する。エッジ補正回路２０３は、それらのフィールド画像データをフィールド・メモリ３１２に格納する。
【００８６】
最初のサブフィールド期間ＳＦ１について、ドライバ制御部３２０は、元のフィールド画像データＦｒ（ｍ）、Ｆｂ（ｍ）、Ｆｇ（ｍ）をフィールド・メモリ３１２からソース電極ドライバ３２０に供給する。次のサブフィールド期間ＳＦ２について、ドライバ制御部３２０は、エッジ強調済みフィールド画像Ｆｂｅ（ｍ）、Ｆｂｅ（ｍ）、Ｆｇｅ（ｍ）をフィールド・メモリ３１２からソース電極ドライバ３２０に供給する。次のサブフィールド期間ＳＦ３について、ドライバ制御部３２０は、異なるエッジ強調済みフィールド画像Ｆｂｅ（ｍ）’、Ｆｂｅ（ｍ）’、Ｆｇｅ（ｍ）’をフィールド・メモリ３１２からソース電極ドライバ３２０に供給する。
【００８７】
サブフィールド期間ＳＦ１において、ゲート電極ドライバ３３０は、垂直走査パルス電圧ＰＧｊをゲート電極３５２（ＧＴ１〜ＧＴｎ）に順次印加する。各ゲート電極３５２に各走査パルス電圧ＰＧｊが印加されている間に、ソース電極ドライバ３４０は、フィールド画像Ｆｂ（ｍ）、Ｆｂ（ｍ）、Ｆｇ（ｍ）の各行の３色成分の全列のサブピクセルのレベルを表す高さのパルス電圧ＰＲｉ、ＰＧｉ、ＰＢｉを対応する表示用のソース電極３６２（Ｒ１〜Ｒｍ、Ｇ１〜Ｇｍ、Ｂ１〜Ｂｍ）に印加する。それによって、液晶素子容量Ｃ１およびパネル寄生容量Ｃ２に、各サブピクセル・レベルに対応する量の電荷が蓄積される。それによって、各液晶素子３７０の透過度が、変化しまたは決定される。
【００８８】
サブフィールド期間ＳＦ２において、ゲート電極ドライバ３３０は、垂直走査パルス電圧ＰＧｊをゲート電極３５２（ＧＴ１〜ＧＴｎ）に順次印加する。各ゲート電極３５２に各走査パルス電圧ＰＧｊが印加されている間に、ソース電極ドライバ３４０は、フィールド画像Ｆｂｅ（ｍ）、Ｆｂｅ（ｍ）、Ｆｇｅ（ｍ）の各行の３色成分の全列のサブピクセルのパルス電圧ＰＲｉ、ＰＧｉ、ＰＢｉをソース電極３６２（Ｒ１〜Ｒｍ、Ｇ１〜Ｇｍ、Ｂ１〜Ｂｍ）に印加する。それによって、液晶素子容量Ｃ１およびパネル寄生容量Ｃ２に、各サブピクセル・レベルに対応する量の電荷が蓄積される。それによって、各液晶素子３７０の透過度が、変化しまたは決定される。
【００８９】
サブフィールド期間ＳＦ３において、ゲート電極ドライバ３３０は、垂直走査パルス電圧ＰＧｊをゲート電極３５２（ＧＴ１〜ＧＴｎ）に順次印加する。各ゲート電極３５２に各走査パルス電圧ＰＧｊが印加されている間に、ソース電極ドライバ３４０は、フィールド画像Ｆｂｅ（ｍ）’、Ｆｂｅ（ｍ）’、Ｆｇｅ（ｍ）’の各行の３色成分の全列のサブピクセルのパルス電圧ＰＲｉ、ＰＧｉ、ＰＢｉをソース電極３６２（Ｒ１〜Ｒｍ、Ｇ１〜Ｇｍ、Ｂ１〜Ｂｍ）に印加する。それによって、液晶素子容量Ｃ１およびパネル寄生容量Ｃ２に、各サブピクセル・レベルに対応する量の電荷が蓄積される。それによって、各液晶素子３７０の透過度が、変化しまたは決定される。
【００９０】
発明者は、各色成分、例えば赤色成分について、異なるフィールド画像Ｆｒ（ｍ）、Ｆｒｅ（ｍ）、Ｆｒｅ（ｍ）’を順次表示させると、連続するサブフィールド期間の間で液晶素子容量Ｃ１とパネル寄生容量Ｃ２に蓄積される電荷が変化し、ソース電極ドライバ３４０が余分に電力を消費する、と認識した。一方、発明者は、例えば青色成分のエッジ強調と比較すると、他の色成分、例えば赤色および緑色成分のエッジ強調について、高齢者の視覚特性に対する改善効果は相対的に低く、例えば青色成分についてだけエッジ強調を行っても充分な改善効果が得られる、と認識した。また、発明者は、或る色成分、例えば赤色について、複数サブフィールド期間にわたって同じフィールド画像Ｆｒ（ｍ）を連続的に表示させると、隣接のサブフィールド期間の間で液晶素子容量Ｃ１とパネル寄生容量Ｃ２の電荷が変化せず、ソース電極ドライバ３４０からソース電極３６２に供給される電力が低減できる、と認識した。
【００９１】
図１１Ａは、元のフィールド画像Ｆ（ｍ）、Ｆ（ｍ＋１）、Ｆ（ｍ＋２）、．．．の時間的順序の例を示している。図１１Ｂ〜１１Ｄは、図１および７〜１０の実施形態におけるエッジ補正回路２０３によって供給される高齢者用の各色成分の画像信号の時分割フィールドの時間的順序の例を示している。
【００９２】
図１１Ｄを参照すると、表示装置３００によって、青色成分について、最初のサブフィールド期間ＳＦ１において、元のフィールド画像Ｆｂ（ｍ）が表示される。表示装置３００によって、青色について、次のサブフィールド期間ＳＦ２において、エッジ強調されたフィールドＦｂｅ（ｍ）が表示され、次のサブフィールド期間ＳＦ３において、異なるエッジ強調されたフィールドＦｂｅ（ｍ）’が表示される。それと並行して、図１１Ｂを参照すると、表示装置３００によって、赤色について、３つのサブフィールド期間ＳＦ１、ＳＦ２、ＳＦ３にわたって、元のフィールド画像Ｆｒ（ｍ）が連続して表示される。それと並行して、図１１Ｄを参照すると、表示装置３００によって、３つのサブフィールド期間ＳＦ１、ＳＦ２、ＳＦ３にわたって、緑色について、元のフィールド画像Ｆｇ（ｍ）が連続して表示される。
【００９３】
青色成分について、表示装置３００によって元のフィールド画像Ｆｂ（ｍ）と、エッジ強調されたフィールドＦｂｅ（ｍ）、Ｆｂｅ（ｍ）’を連続するサブフィールド期間に順次表示させることによって、図１０の液晶素子容量Ｃ１とパネル寄生容量Ｃ２に蓄積される電荷が変化する。ソース電極ドライバ３４０から表示用のソース電極３６２に、その電荷の変化分およびリークによる自然減少分の電荷に対応した電力が供給される。
【００９４】
赤色または緑色成分について、表示装置３００によって元のフィールド画像Ｆｒ（ｍ）、Ｆｇ（ｍ）を連続するサブフィールド期間に繰り返し表示させる。それによって、図１０の液晶素子容量Ｃ１とパネル寄生容量Ｃ２に蓄積される電荷はほとんど変化しない。それによって、ソース電極ドライバ３４０から表示用のソース電極３６２に供給される電力の消費が抑制される。最初のサブフィールド期間ＳＦ１においてソース電極ドライバ３４０によってソース電極３６２を介して液晶素子容量Ｃ１とパネル寄生容量Ｃ２に印加されて蓄積された電荷は、後続のサブフィールド期間ＳＦ２、ＳＦ３において、僅かに（例、数％、約５％程度）減少するだけで、ほぼそのまま残存する。ソース電極ドライバ３４０からソース電極３６２に、その電荷の自然減少分の電荷に対応した電力だけが供給される。従って、赤色または緑色成分について、後続のサブフィールド期間ＳＦ２、ＳＦ３において、ソース電極ドライバ３４０によって、サブフィールド期間ＳＦ１におけるパルス電圧ＰＲｉ、ＰＧｉと同じ電圧を繰り返しソース電極３６２に印加しなくてもよい。それによって赤色または緑色成分の画像の品質に与える影響は僅かである。
【００９５】
図１２Ａは、連続するサブフィールド期間ＳＦ１〜ＳＦ３においてゲート電極ドライバ３３０によってゲート電極ＧＴ１〜ＧＴｎに印加されるパルス電圧ＰＧｊ（ＰＧ１〜ＰＧｎ）の例を示している。図１２Ｂ〜１２Ｄは、連続するサブフィールド期間ＳＦ１〜ＳＦ３においてソース電極ドライバ３４０によってソース電極Ｒｉ（Ｒ１〜Ｒｍ）、Ｇｉ（Ｇ１〜Ｇｍ）、Ｂｉ（Ｂ１〜Ｂｍ）に印加される表示用のパルス電圧ＰＲｉ（ＰＲ１〜ＰＲｍ）、ＰＧｉ（ＰＧ１〜ＰＧｍ）、ＰＢｉ（ＰＢ１〜ＰＢｍ）の例を示している。
図１２Ｂ〜１２Ｄにおいて、各パルス電圧ＰＲｉ、ＰＧｉ、ＰＢｉの値は各サブピクセルのレベルを表す可変値である。
【００９６】
図１２Ｂおよび１２Ｃにおいて、赤色および緑色成分について、元のフィールド画像Ｆｒ（ｍ）、Ｆｇ（ｍ）を連続するサブフィールド期間ＳＦ１〜ＳＦ３中の最初のサブフィールド期間ＳＦ１だけ、ソース電極３５２（Ｒｉ、Ｇｉ）に対応するパルス電圧ＰＲｉ、ＰＧｉを印加する。後続のサブフィールド期間ＳＦ２、ＳＦ３では、赤色および緑色成分について、ドライバ制御部３２０は、制御部１００の制御の下で、パルス電圧を印加することなく、ソース電極ドライバ３４０の出力をハイインピーダンス状態に保持する。それによって、液晶素子容量Ｃ１およびパネル寄生容量Ｃ２に蓄積される電荷はほとんど変化せず、ソース電極ドライバ３４０からソース電極３６２を介したソース電極３５２（Ｒｉ、Ｇｉ）への電力供給が抑制される。
【００９７】
後続のサブフィールド期間ＳＦ２、ＳＦ３では、ソース電極ドライバ３４０は、制御部３２０の制御の下で、ソース電極ドライバ３４０の出力をハイインピーダンス状態に保持し、従って赤色および緑色（Ｒ１〜Ｒｍ、Ｇ１〜Ｇｍ）用のＦＥＴ群３５０をターンオフ状態に制御する。
【００９８】
従って、制御部１０２は、最初のサブフィールド期間ＳＦ１においてだけ、エッジ補正回路２０３のエッジ補正回路２０３Ｒおよび２０３Ｇをイネーブル（付勢、可動化）して、元のフィールド画像データＦｒ（ｍ）、Ｆｇ（ｍ）を供給させればよい。また、制御部１０２は、後続のサブフィールド期間ＳＦ２、ＳＦ３において、エッジ補正回路２０３Ｒおよび２０３Ｇをディセーブル（消勢、非可動化、停止）すればよい。それによって、エッジ補正回路２０３Ｒおよび２０３Ｇの電力の消費が抑制される。
【００９９】
それによって、エッジ補正表示のための電力の消費を抑制しつつ、高齢の観察者にとって充分なエッジ補正効果が得られる。若年者または正常な視覚特性を有する観察者に対しては、エッジ補正しなくてもよく、例えば、青色成分についても、他の色成分と同様の形態でフィールド画像を表示してもよい。
【０１００】
図１３は、図１の実施形態の変形であり、別の実施形態による、時分割的なエッジ補正を行う機能を有する情報処理装置１６の概略的構成の例を示している。この場合、元のフィールド画像から、重畳的に異なるエッジ強調の組み合わせによってエッジ強調されたフィールド画像が生成される。この場合、図７において、図１の情報処理装置１４およびエッジ補正回路２０３（２０３Ｒ、２０３Ｇ、２０３Ｂ）の代わりに、それぞれ図１３の情報処理装置１６およびエッジ補正回路２０６（２０６Ｒ、２０６Ｇ、２０６Ｂ）が用いられる。
【０１０１】
情報処理装置１６は、画像処理部の一部としてのエッジ補正回路又はエッジ強調回路２０６を含んでいる。情報処理装置１６のその他の構成は、図１の情報処理装置１４のものと同様である。図７において、エッジ補正回路２０６は、赤色成分用のエッジ補正回路２０６Ｒ、緑色成分用のエッジ補正回路２０６Ｇ、および青色成分用のエッジ補正回路２０６Ｂを含んでいてもよい。エッジ補正回路２０６Ｒ、２０６Ｇおよび２０６Ｂの各々は、対応する色成分について図１３のエッジ補正回路２０６と同様の構成を有していてもよい。代替形態として、エッジ補正回路２０６は、時分割的に、エッジ補正回路２０６Ｒ、エッジ補正回路２０６Ｇおよびエッジ補正回路２０６Ｂとして機能してもよい。
【０１０２】
エッジ補正回路２０６は、３つの色成分または各色成分について、図１の要素２１２、２２２、２２４、２４２、２４４、２６２、２６４、および２８２に加えて、加算器または総和器（Σ）２７２、およびマルチプレクサまたはセレクタ２８２を含んでいる。エッジ補正回路２０６において、図１のマルチプレクサまたはセレクタ２７８は使用されない。
【０１０３】
エッジ補正回路２０６において、乗算器２６２および２６４の出力は加算器２７２のそれぞれの入力に結合されている。フィールド・メモリ２１２は、加算器２７２の別の入力に結合されている。
【０１０４】
加算器２７２の出力はマルチプレクサ２８２の１つの入力に結合されている。フィールド・メモリ２１２はマルチプレクサ２８２の別の入力にも結合されている。マルチプレクサ２８２の出力はフィールド・メモリ３１２に結合されている。
【０１０５】
加算器２７２は、フィールド期間Ｆ（ｍ）に、各同じ色成分について、乗算器２６２および２６４の出力およびフィールド・メモリ２１２から供給された対応する画素位置の３つの画素データを加算して、異なるエッジ強調の組み合わせでエッジ強調された画素データを生成する。加算器２７２は、そのエッジ強調された画素データをマルチプレクサ２８２の１つの入力に供給する。
【０１０６】
制御部１０２は、フィールド期間Ｆ（ｍ）に、各同じ色成分について、フィールド・メモリ２１２からの元の画像信号のフィールドをマルチプレクサ２８２の別の入力に供給する。マルチプレクサ２８２は、加算器２７２の出力からのエッジ強調された画像信号のフィールドと、フィールド・メモリ２１２からの元の画像信号のフィールドとを交互に選択して、フィールド・メモリ３１２に供給する。エッジ補正回路２０６のその他の構成および動作は、図１のエッジ補正回路２０３のものと同様である。
【０１０７】
表示装置３００は、フィールド・メモリ３１２からの画像信号の交互のフィールドに従って、高齢者により適した形態でエッジ補正されたそのフィールド画像を表示する。その結果、元のフィールド画像と、ラプラシアン・フィルタ２２２および２２４によってエッジ強調されたフィールド画像とが時分割的に交互に表示される。それによって、人の脳で視覚的に合成された時分割の画像は、高齢者により適した形態のものとなる。時分割的なエッジ補正を行うことによって、画像処理において画像の或る色成分に対してだけ追加的なエッジ補正を施すことができ、追加的な処理負荷を小さくすることができる。
【０１０８】
図１４Ａは、元のフィールド画像Ｆ（ｍ）、Ｆ（ｍ＋１）、Ｆ（ｍ＋２）、．．．の時間的順序の例を示している。図１４Ｂ〜１４Ｄは、図１３および７〜１０の実施形態におけるエッジ補正回路２０６によって供給される各色成分の画像信号の時分割フィールドの時間的順序の別の例を示している。
【０１０９】
図１４Ｄにおいて、青色成分について、最初のサブフィールド期間ＳＦ１において、元のフィールド画像Ｆｂ（ｍ）が表示される。表示装置３００によって、青色について、次のサブフィールド期間ＳＦ２において、異なるエッジ強調の組み合わせでエッジ強調されたフィールドＦｂｅ（ｍ）が表示される。それと並行して、図１４Ｂにおいて、表示装置３００によって、赤色について、２つのサブフィールド期間ＳＦ１、ＳＦ２にわたって、元のフィールド画像Ｆｒ（ｍ）が連続して表示される。それと並行して、図１４Ｄにおいて、表示装置３００によって、２つのサブフィールド期間ＳＦ１、ＳＦ２にわたって、緑色について、元のフィールド画像Ｆｇ（ｍ）が連続して表示される。
【０１１０】
青色成分について、表示装置３００によって元のフィールド画像Ｆｂ（ｍ）と、エッジ強調されたフィールドＦｂｅ（ｍ）を連続するサブフィールド期間に順次表示させることによって、図１０の液晶素子容量Ｃ１とパネル寄生容量Ｃ２に蓄積される電荷が変化する。ソース電極ドライバ３４０からソース電極３６２に、その電荷の変化分およびリークによる自然減少分の電荷に対応した電力が供給される。
【０１１１】
図２Ｂおよび２Ｃの場合と同様に、赤色または緑色成分について、表示装置３００によって元のフィールド画像Ｆｒ（ｍ）、Ｆｇ（ｍ）を連続するサブフィールド期間ＳＦ１、ＳＦ２に繰り返し表示させる。それによって、図１０の液晶素子容量Ｃ１とパネル寄生容量Ｃ２に蓄積される電荷はほとんど変化しない。それによって、ソース電極ドライバ３４０からソース電極３６２に供給される電力の消費が抑制される。最初のサブフィールド期間ＳＦ１においてソース電極ドライバ３４０によってソース電極３６２を介して液晶素子容量Ｃ１とパネル寄生容量Ｃ２に印加されて蓄積された電荷は、後続のサブフィールド期間ＳＦ２において、僅かに（例、数％、約５％程度）減少するだけで、ほぼそのまま残存する。ソース電極ドライバ３４０からソース電極３６２に、その電荷の自然減少分の電荷に対応した電力だけが供給される。従って、赤色または緑色成分について、後続のサブフィールド期間ＳＦ２において、ソース電極ドライバ３４０によって、サブフィールド期間ＳＦ１におけるパルス電圧と同じ電圧を繰り返しソース電極３６２に印加しなくてもよい。それによって赤色または緑色成分の画像の品質に与える影響は僅かである。
【０１１２】
図１５Ａは、連続するサブフィールド期間ＳＦ１、ＳＦ２においてゲート電極ドライバ３３０によってゲート電極ＧＴ１〜ＧＴｎに印加されるパルス電圧ＰＧｊ（ＰＧ１〜ＰＧｎ）の例を示している。図１５Ｂ〜１５Ｄは、連続するサブフィールド期間ＳＦ１、ＳＦ２においてソース電極ドライバ３４０によってソース電極Ｒｉ（Ｒ１〜Ｒｍ）、Ｇｉ（Ｇ１〜Ｇｍ）、Ｂｉ（Ｂ１〜Ｂｍ）に印加されるパルス電圧ＰＲｉ（ＰＲ１〜ＰＲｍ）、ＰＧｉ（ＰＧ１〜ＰＧｍ）、ＰＢｉ（ＰＢ１〜ＰＢｍ）の例を示している。
図１５Ｂ〜１５Ｄにおいて、各パルス電圧ＰＲｉ、ＰＧｉ、ＰＢｉの値は各サブピクセルを表す可変値である。
【０１１３】
図１５Ｂおよび１５Ｃにおいて、赤色および緑色成分について、元のフィールド画像Ｆｒ（ｍ）、Ｆｇ（ｍ）を連続するサブフィールド期間ＳＦ１、ＳＦ２の最初のサブフィールド期間ＳＦ１だけ、ソース電極３５２（Ｒｉ、Ｇｉ）に対応するパルス電圧ＰＲｉ、ＰＧｉを印加する。後続のサブフィールド期間ＳＦ２では、赤色および緑色成分について、ドライバ制御部３２０は、制御部１００の制御の下で、パルス電圧を印加することなく、ソース電極ドライバ３４０の出力をハイインピーダンス状態に保持する。それによって、液晶素子容量Ｃ１およびパネル寄生容量Ｃ２に蓄積される電荷はほとんど変化せず、ソース電極ドライバ３４０からソース電極３６２を介したソース電極３５２（Ｒｉ、Ｇｉ）への電力供給が抑制される。
【０１１４】
後続のサブフィールド期間ＳＦ２では、ソース電極ドライバ３４０は、制御部３２０の制御の下で、ソース電極ドライバ３４０の出力をハイインピーダンス状態に保持し、従って赤色および緑色（Ｒ１〜Ｒｍ、Ｇ１〜Ｇｍ）用のＦＥＴ群３５０をターンオフ状態に制御する。
【０１１５】
従って、制御部１０２は、最初のサブフィールド期間ＳＦ１においてだけ、エッジ補正回路２０３のエッジ補正回路２０３Ｒおよび２０３Ｇをイネーブルして、元のフィールド画像データを供給させればよい。また、制御部１０２は、後続のサブフィールド期間ＳＦ２において、エッジ補正回路２０３Ｒおよび２０３Ｇをディセーブルすればよい。それによって、エッジ補正回路２０３Ｒおよび２０３Ｇの電力の消費が抑制される。
【０１１６】
それによって、エッジ補正表示のための電力の消費を抑制しつつ、高齢の観察者にとって充分なエッジ補正が得られる。若年者または正常な視覚特性を有する観察者に対しては、エッジ補正しなくてもよく、例えば、青色成分についても、他の色成分と同様の形態でフィールド画像を表示してもよい。
【０１１７】
以上、特に例えば高齢者のような青色に対する識別力の低い視覚特性を持つユーザについて説明したが、上述の実施形態は、他の色成分に対して識別力の低い視覚特性を持つユーザに対して他の色成分に適用することもできる。
【０１１８】
ここで挙げた全ての例および条件的表現は、発明者が技術促進に貢献した発明および概念を読者が理解するのを助けるためのものであり、ここで具体的に挙げたそのような例および条件に限定することなく解釈され、また、明細書におけるそのような例の編成は本発明の優劣を示すこととは関係ない、と理解される。本発明の実施形態を詳細に説明したが、本発明の精神および範囲から逸脱することなく、それに対して種々の変更、置換および変形を施すことができる、と理解される。
【０１１９】
以上の実施例を含む実施形態に関して、さらに以下の付記を開示する。
（付記１）  制御部が、
連続的な複数の期間を含む１つのフィールド期間における前記複数の期間の中の第１の期間に、複数の色成分の中の第１の色成分の第１の元の画像信号を表示用の出力端子に供給し、
前記複数の期間における第２の期間に、前記第１の元の画像信号をエッジ補正した補正画像信号を前記表示用の出力端子に供給し、
前記第１の期間に、前記複数の色成分の中の第２の色成分の第２の元の画像信号と、前記複数の色成分の中の第３の色成分の第３の元の画像信号とを前記表示用の出力端子に供給し、
前記第２の期間において、前記複数の色成分の中の前記第２と第３の色成分の画像信号の供給を抑制すること
を特徴とする、画像信号処理装置における画像信号処理方法。
（付記２）  前記制御部が、さらに、前記第２の期間において、前記表示用の出力端子に結合される表示装置における前記第２と第３の色成分の画像信号用の表示電極への信号路のインピーダンスを高くする制御信号を、前記表示装置を制御するための出力端子に供給することを特徴とする、付記１に記載の画像処理装置。
（付記３）  前記制御部が、さらに、
第１の画像処理部をイネーブルして前記第１の画像処理部から前記第１の元の画像信号と前記元の画像信号を受け取り、
第２の画像処理部をイネーブルして前記第２の画像処理部から前記第２の元の画像信号を受け取り、前記第２の画像処理部が前記第２の元の画像信号を生成しないとき前記第２の画像処理部をディセーブルし、
第３の画像処理部をイネーブルして前記第３の画像処理部から前記第３の元の画像信号を受け取り、前記第３の画像処理部が前記第３の元の画像信号を生成しないとき前記第３の画像処理部をディセーブルすること、
を特徴とする、付記１または２に記載の画像信号処理方法。
（付記４）  前記制御部が、さらに、前記複数の期間における第３の期間に、前記第１の元の画像信号をエッジ補正した別の補正画像信号を前記表示用の出力端子に供給し、前記複数の色成分の中の前記第２と第３の色成分の画像信号の供給を抑制することを特徴とする、付記１乃至３のいずれかに記載の画像信号処理方法。
（付記５）  画像処理部と、
表示用の出力端子と、
連続的な複数の期間を含む１つのフィールド期間における前記複数の期間の中の第１の期間に、複数の色成分の中の第１の色成分の第１の元の画像信号を前記画像処理部から受け取って前記表示用の出力端子に供給し、前記複数の期間における第２の期間に、前記第１の元の画像信号をエッジ補正した補正画像信号を前記画像処理部から受け取って前記表示用の出力端子に供給し、前記第１の期間に、前記複数の色成分の中の第２の色成分の第２の元の画像信号を前記画像処理部と、前記複数の色成分の中の第３の色成分の第３の元の画像信号とを前記画像処理部から受け取って前記表示用の出力端子に供給し、前記第２の期間において、前記複数の色成分の中の前記第２と第３の色成分の画像信号の供給を抑制する制御部と、
を含むことを特徴とする、情報処理装置。
（付記６）  前記情報処理装置はさらに制御用の出力端子を含み、前記表示用の出力端子は表示装置に結合され、
前記制御部が、さらに、前記第２の期間において、前記表示装置における前記第２と第３の色成分の画像信号用の表示電極への電極ドライバの信号路のインピーダンスを高くする制御信号を前記制御用の出力端子に供給することを特徴とする、付記５に記載の情報処理装置。
（付記７）  前記画像処理部は、さらに、第１、第２および第３の画像処理部を含み、
前記制御部が、さらに、
前記第１の画像処理部をイネーブルして前記第１の画像処理部から前記第１の元の画像信号と前記元の画像信号を受け取り、
前記第２の画像処理部をイネーブルして前記第２の画像処理部から前記第２の元の画像信号を受け取り、前記第２の画像処理部が前記第２の元の画像信号を生成しないとき前記第２の画像処理部をディセーブルし、
前記第３の画像処理部をイネーブルして前記第３の画像処理部から前記第３の元の画像信号を受け取り、前記第３の画像処理部が前記第３の元の画像信号を生成しないとき前記第３の画像処理部をディセーブルすること、
を特徴とする、付記５または６に記載の情報処理装置。
（付記８）  前記制御部が、さらに、前記複数の期間における第３の期間に、前記第１の元の画像信号をエッジ補正した別の補正画像信号を前記画像処理部から受け取って前記表示用の出力端子に供給し、前記複数の色成分の中の前記第２と第３の色成分の画像信号の供給を抑制することを特徴とする、付記５乃至７のいずれかに記載の情報処理装置。
【符号の説明】
【０１２０】
１４、１６  情報処理装置
１００、１０２  制御部
２０３、２０６  エッジ補正回路
２１２、３１２  フィールド・メモリ
２２２、２２４  ラプラシアン・フィルタ
２４２、２４４  フィールド・メモリまたは複数ライン・メモリ
２６２、２６４  乗算器
２７８、２８２  マルチプレクサまたはセレクタ
２８０、２７２  加算器または総和器
４０２  表示制御用の出力端子
４０４  表示用の出力端子
３００  表示装置
３２０  ドライバ制御部
３３０  ゲート電極ドライバ
３４０  ソース電極ドライバ
３６０  液晶パネル
４１２  表示制御用の入力端子
４１４  表示用の入力端子
【図１】
2012119902.tif 000003
【図２】
2012119902.tif 000004
【図３】
2012119902.tif 000005
【図４】
2012119902.tif 000006
【図５】
2012119902.tif 000007
【図６Ａ】
2012119902.tif 000008
【図６Ｂ】
2012119902.tif 000009
【図６Ｃ】
2012119902.tif 000010
【図６Ｄ】
2012119902.tif 000011
【図７】
2012119902.tif 000012
【図８】
2012119902.tif 000013
【図９】
2012119902.tif 000014
【図１０】
2012119902.tif 000015
【図１１】
2012119902.tif 000016
【図１２】
2012119902.tif 000017
【図１３】
2012119902.tif 000018
【図１４】
2012119902.tif 000019
【図１５】
2012119902.tif 000020